(57)【要約】  【課題】リフィルの交換によるテープの弛みを抑制しつつ、リフィルの交換作業を簡便に行ない得る転写具を提供する。  【解決手段】本実施形態に係る転写具Ａは、本体側の半ケース部たる支持体と、リフィル側の半ケース部たるリフィル２とを脱着可能に合体させて繰出リール４１、巻取リール４２、及び繰出リール４１の回転を巻取リール４２に伝達するためのリール駆動機構５を内部に収容するケースである転写具本体Ａ１を形成するようにした転写具Ａであって、繰出リール４１、記巻取リール４２、及びリール駆動機構５をリフィル２にそれぞれ保持させて交換可能としたことを特徴としている。  【選択図】図５
2008265042.tif 000002
【特許請求の範囲】
【請求項１】
本体側の半ケース部と、リフィル側の半ケース部とを脱着可能に合体させて繰出リール、巻取リール、及び前記繰出リールの回転を巻取リールに伝達するためのリール駆動機構を内部に収容するケースを形成するようにした転写具であって、
前記繰出リール、前記巻取リール、及び前記リール駆動機構をリフィル側の半ケース部にそれぞれ保持させて交換可能としたことを特徴とする転写具。
【請求項２】
前記リール駆動機構を、前記繰出リール及び巻取リールに対して同軸に設けた繰出プーリ及び巻取プーリと、当該繰出プーリ及び巻取プーリの間に架け渡したベルトとを有するものとしている請求項１記載の転写具。
【請求項３】
前記本体側の半ケース部と、リフィル側の半ケース部とを相対的に回動させる回動動作により着脱可能なものとしている請求項１又は２記載の転写具。
【請求項４】
前記本体側の半ケース部と、リフィル側の半ケース部とを平行に位置付けた状態から重ね合わせる重ね動作によって両半ケースの係合を行なうとともに、当該両半ケースを相対的に回動させる回動動作により前記係合を解除し得るものとしている請求項３記載の転写具。
【請求項５】
前記両半ケース部の一端及び他端に当該両半ケース部を互いに係り合わせ得る係合部をそれぞれ設け、何れか一方の前記係合部を、前記両半ケース部の相対的な回動動作を誘導し得る回動係合部としている請求項３又は４記載の転写具。
【請求項６】
転写ヘッドを、リフィル側の半ケース部に保持させるとともに、転写ヘッドを保護するためのヘッドカバーを、本体側の半ケース部に退避動作可能に設けている請求項１、２、３、４又は５記載の転写具。
【請求項７】
前記ヘッドカバーを、前記両半ケース部の係り合い解除時に、前記転写ヘッドを通過させ得る通過領域を設けている請求項６記載の転写具。
【請求項８】
前記繰出リール又は巻取リールを手動操作により強制回動させるための強制駆動機構を、本体側の半ケース部に備えている請求項1、２、３、４、５、６又は７記載の転写具。
【請求項９】
強制駆動機構を、外力による往復操作によって前記繰出リール又は巻取リールを駆動し得る往復操作部を有するものとしている請求項８又は９記載の転写具。
【請求項１０】
強制駆動機構を、巻取リールを巻取方向へ強制回動し得るものとしている請求項８又は９記載の転写具。
【請求項１１】
前記強制駆動機構を、前記巻取リールに対して選択的に係合し得る駆動爪を有するものとしている請求項１０記載の転写具。
【請求項１２】
前記強制駆動機構を、不使用状態において前記巻取リールと前記駆動爪との係り合いを解除させたものとしている請求項１１記載の転写具。
【請求項１３】
修正剤を転写し得るものとしている請求項１、２、３、４、５、６、７、８、９、１０、１１又は１２記載の転写具。
【請求項１４】
前記繰出リールから転写物を塗布したテープが引き出されるテープの面方向から当該テープを所定角度旋回させて転写ヘッドへ案内し得る旋回機構を有するものとしている請求項１、２、３、４、５、６、７、８、９、１０、１１、１２又は１３記載の記載の転写具。
【発明の詳細な説明】
【技術分野】
【０００１】
本発明は、粘着剤や修正剤の転写物を紙などに転写し得る転写具、具体的にはリフィルを交換することにより転写物を繰り返し充填し得るリフィル交換式の転写具に関するものである。
【背景技術】
【０００２】
従来、転写物を全て使用した際に、新しいリフィルと交換することにより、繰り返し使用することができる、いわゆるリフィル交換式の転写具が種々提案されている。このようなものの多くは転写物を保持したリフィル側の半ケース部と、当該リフィル側の半ケース部を保持し得る本体側の半ケース部とを有するものとなっている。そして、リフィル側の半ケース部には、転写物をテープに塗布した状態のテープを巻回保持する繰出リールや巻取リール、そして転写ヘッドを設けている一方で、本体側の半ケース部には、繰出リールや巻取リールを連動可能に支持しているコア及びギア等のテープ駆動機構を設けている。そして、これら両半ケース部を重ね合わせて係合させることで、繰出リールや巻取リールをコア等に対して正確に係合させる動作を要求されたものとなっている（例えば特許文献１参照）。
【特許文献１】特開２００１−９６９８５号公報
【発明の開示】
【発明が解決しようとする課題】
【０００３】
しかしながら、交換用として、リフィル側の半ケース部のみを輸送する場合等は、郵送のさいに繰出リールや巻取リールが振動などによって、回動してしまうといった場合が起こる事がある。その場合、通常リフィル側の半ケース部では繰出リールから巻取リールにかけてテープを緊張させた状態としていても、テープが弛む方向に回転してしまうこととなる。斯かる不具合を回避する為に、例えば輸送時などの使用前の状態では、繰出リール及び巻取リールの回転を防止する為のストッパを取り付けている場合があるが、使用する際には本体側の半ケース部と係り併せる為にストッパを外さなければならず、その間にもテープが弛んでしまうといった事が起こり得る。
【０００４】
他方、斯かる係り合わせの際には、上述の通り繰出リール及び巻取リールを正確に位置決めする箇所は両半ケース部を係り合わせる際には必須となっているとともに、繰出リール及び巻取リールへコアを挿抜する方向は繰出リール及び巻取リールの軸芯方向に限られるため、両半ケース部を係合させる箇所がいきおい多くなってしまい、且つ、両半ケース部を係り合わせる方向は限定されたものとなっているため、使用者は両半ケース部を係り合わせる際には正確さを要する慎重な動作を要求されているのが現状である。
【０００５】
本発明は、このような不具合に着目したものであり、リフィルの輸送時、交換時のテープの弛みを抑制しつつ、リフィルの交換作業を簡便に行ない得る転写具を提供する。
【課題を解決するための手段】
【０００６】
本発明は、このような目的を達成するために、次のような手段を講じたものである。すなわち、本発明に係る転写具は、本体側の半ケース部と、リフィル側の半ケース部とを脱着可能に合体させて繰出リール、巻取リール、及び前記繰出リールの回転を巻取リールに伝達するためのリール駆動機構を内部に収容するケースを形成するようにした転写具であって、前記繰出リール、前記巻取リール、及び前記リール駆動機構をリフィル側の半ケース部にそれぞれ保持させて交換可能としたことを特徴とする。
【０００７】
ここで本明細書において、転写物を保持し、詰め替え・交換し得る側のものを示す文言として、「リフィル」という用語を採用しているが、この用語は、「カートリッジ」、「交換式カートリッジ」或いは「詰め替え」という文言と同義であり、置き換える事が可能なものである。
【０００８】
このようなものであれば、正確な係合を必要とする部位を有効に削減することができるので、簡便な係合並びに係合解除の操作を行なわせることができる。また、テープを駆動させるための機構をリフィル側の半ケースのみに繰出リール、巻取リールとともに予め担わせているため、従来であればリフィル側の半ケース部の輸送時並びに交換時に起こりがちであったテープの弛みを有効に回避し得るものとなる。さらにこのテープを駆動させるための機構をリフィル側の半ケースのみに担わせていることにより、両半ケース部を係合させる方向を自由に設定することができる。
【０００９】
リール駆動機構を構成する部品点数を有効に削減するとともに、例えばギアなどを別途支持するための格別の機構をリフィル側の半ケース部に設けることを有効に回避するためには、リール駆動機構を、繰出リール及び巻取リールに対して同軸に設けた繰出プーリ及び巻取プーリと、当該繰出プーリ及び巻取プーリの間に架け渡したベルトとを有するものとすることが望ましい。
【００１０】
また上述の通り、単純な構成で且つ正確な動作を行なわせるためには、回動動作により係合又は係合解除を行なわせるべく着脱可能なものとすることが望ましい。
【００１１】
そして、本体側の半ケース部と、リフィル側の半ケース部とを平行に位置付けた状態から重ね合わせる重ね動作によって両半ケースの係合を行なうとともに、当該両半ケースを相対的に回動させる回動動作により前記係合を解除し得るものとすれば、両半ケース部を合体すなわち係り合わせる際にはもっとも簡単な方法で且つ従来の転写具にも多く採用されている方法を採用して使用者に違和感を覚えさせることなく係合させ得るとともに、回動動作により正確且つ簡便に両半ケース部の係り合いを解除することにより、リフィル交換を容易に行い得るものとすることができる。
【００１２】
また回動動作を採用する具体的な構成として、両半ケース部の一端及び他端に当該両半ケース部を互いに係り合わせ得る係合部をそれぞれ設け、何れか一方の係合部を、両半ケース部の相対的な回動動作を誘導し得る回動係合部としたものを挙げることができる。
【００１３】
リフィル側の半ケース部の部品点数を少なくするとともにコンパクトに構成するためには、転写ヘッドを、リフィル側の半ケース部に保持させるとともに、転写ヘッドを保護するためのヘッドカバーを、本体側の半ケース部に退避動作可能に設けることが好ましい。
【００１４】
転写ヘッドとは反対側にヘッドカバーを設ける場合、リフィル交換時に転写ヘッドとヘッドカバーとが相対移動することとなるが、その際に転写ヘッドを通過させ得る通過領域を設けることにより、近接して設けた転写ヘッドとヘッドカバーとの干渉を回避することができる。
【００１５】
他方、両半ケース部を係わり合わせた状態で、テープの位置を好適に調整し得るものとするためには、繰出リール又は巻取リールを手動操作により強制回動させるための強制駆動機構を、本体側の半ケース部に備えることが望ましい。
【００１６】
簡便に連続した操作を行い得るものとするためには、強制駆動機構を、外力による往復操作によって前記繰出リール又は巻取リールを駆動し得る往復操作部を有するものとすることが望ましい。
【００１７】
特に、テープの弛みを有効に解消するためには、斯かる強制駆動機構を、巻取リールを巻取方向へ強制回動し得るものとすればよい。
【００１８】
確実に繰出リール又は巻取リールを駆動させ得る強制駆動機構の具体的な構成として、巻取リールに選択的に係合し得る駆動爪を有するものを挙げることができる。
【００１９】
リフィル交換時に巻取リールと駆動爪とが干渉することを有効に回避して簡便な両半ケース部の好適な着脱動作を担保するためには、強制駆動機構を、不使用状態においてギアと前記駆動爪との係り合いを解除させておくことが好ましい。
【００２０】
そして本発明を、修正剤を転写し得るものや、転写物を塗布したテープが保持されるテープの面方向から当該テープを所定角度旋回させて転写ヘッドへ案内し得る旋回機構を有するものといった、テープの弛みが起こりやすい態様の転写具に採用することで、より好適に扱い得る転写具の提供を実現することができる。
【発明の効果】
【００２１】
本発明によれば、正確な係合を必要とする部位を有効に削減することができるので、簡便な係合並びに係合解除の操作を行なわせることができる。
【００２２】
また、テープを駆動させるための機構をリフィル側の半ケースのみに繰出リール、巻取リールとともに予め担わせているため、リフィル側の半ケース部の輸送時並びに交換時に起こりがちであったテープの弛みを有効に回避し得るものとなる。さらにこのテープを駆動させるための機構をリフィル側の半ケースのみに担わせていることにより、両半ケース部を係合させる方向を自由に設定することで、使用者に快適なリフィル交換作業を提供し得る転写具を提供することができる。
【発明を実施するための最良の形態】
【００２３】
以下、本発明の一実施の形態について図面を参照して説明する。
【００２４】
本実施形態に係る転写具Ａは、図１〜図３に示すように、テープＴの片面に剥離可能に塗布した転写物を紙面等の転写対象面に転写するためのものである。本実施形態に係る転写具Ａ１は転写物として、修正剤を転写し得る、所謂修正テープを具備したものとしている。
【００２５】
転写具Ａは、主に転写具本体Ａ１と、転写ヘッドＨとを有するものとしているが、図２及び図３において、転写ヘッドＨを破線にて示すとともに、テープＴの図示を省略している。そして転写具本体Ａ１は、図３に示すように、対をなす半ケース部である支持体１とリフィル２とに分割し得るようにした、所謂半割構造をなすものとしている。そして、支持体１とリフィル２とが係合した状態すなわち後述する本体ケース１０とリフィルケース２０とが係合した状態を係合状態（Ｅ）と称する事とする。また本実施形態では、転写具本体Ａ１に回動係合部Ｑを設けることにより、支持体１とリフィル２とを相対的に回動させる回動動作により着脱可能なものとしている。
【００２６】
ここで、本実施形態に係る転写具Ａは、本体側の半ケース部たる支持体と、リフィル側の半ケース部たるリフィル２とを脱着可能に合体させて繰出リール４１、巻取リール４２、及び繰出リール４１の回転を巻取リール４２に伝達するためのリール駆動機構５を内部に収容するケースである転写具本体Ａ１を形成するようにした転写具Ａであって、繰出リール４１、記巻取リール４２、及びリール駆動機構５をリフィル２にそれぞれ保持させて交換可能としたことを特徴としている。
【００２７】
以下、転写具Ａにおける、支持体１並びにリフィル２の構成について具体的に説明する。
【００２８】
支持体１は、図１、図２及び図３に示すように、本体ケース１０を主体とし、当該本体ケース１０には転写ヘッドＨを保護し得るヘッドカバー３を回動可能に取り付けたものである。また、本体ケース１０内部には、後述するボタン６２の操作により後述する巻取リール４２を駆動させてテープＴの弛みを解消し得る強制駆動機構６を内蔵したものとしている。
【００２９】
ヘッドカバー３は、図２及び図３に示すように、本体ケース１０に回動可能に接続するヒンジ部３１と、転写ヘッドＨの先端部分を保護し得るガード部３２と、本体ケース１０とリフィルケース２０とを相対的に回動させる際に転写ヘッドＨを通過させ得る通過部３３とを有している。また図２においてヘッドカバー３によって転写ヘッドＨを保護し得る状態を実線で示すとともに、転写具Ａの使用時等に転写ヘッドＨを露出させる状態を破線で示している。そして図３に示すように、回動係合部Ｑによって本体ケース１０とリフィルケース２０とを相対的に回動させた際には、転写ヘッドＨは通過部３３を通過するため、リフィル２の交換時に転写ヘッドＨとヘッドカバー３とが干渉することを有効に回避し得たものとなっている。
【００３０】
そして本体ケース１０には、転写ヘッドＨを取り付けた一端側において、回動係合部Ｑを構成する嵌合穴１１を形成している。嵌合穴１１は、回動突起２１を内側に収容すべく回動突起２１の平面視形状に対応した形状に本体ケース１０を貫通させた穴である。すなわち、矩形から短辺側の一方を円弧状とした平面視形状としており、斯かる円弧状の端面を本発明の回動案内面である円弧面１２、短寸側の平面を解除端面１３、長手方向における一方の面を重合端面１４としている。他方、転写ヘッドＨを設けた位置とは反対側である他端側に、爪係合部Ｒを構成する爪本体１５と、爪押圧部１８を形成している。爪本体１５は、本体ケース１０から一体に形成されたものであり、リフィルケース２０側の爪受部２５に対して接離する方向に弾性変形し得るものである。当該爪本体１５は、先端側において後述する爪受け穴２６に係り合う係合爪１６と、当該係合爪１６よりも基端側において突出するとともに外部に露出され、外力により押圧されることにより係合爪１６と爪受け穴２６との係合を解除し得る解除操作部１７とを有している。爪押圧部１８は、爪本体１５近傍からリフィルケース２０側へ向けて突出し、図２に示すように、本体ケース１０とリフィルケース２０とを係合させた係合状態（Ｅ）で、リフィルケース２０の内側を弾性付勢し得るものとなっている。
【００３１】
強制駆動機構６は、図４に示すように、転写具本体Ａ１内でテープＴが弛んでしまった際に、テープＴの弛みを有効に解消すべく巻取リール４２を巻取方向へ強制回動し得るものであり、外力による往復操作によって巻取プーリ５２を介して巻取リール４２を選択的に係合し得る駆動し得る往復操作部６１と、巻取プーリ５２に設けたギア５４に選択的に噛合い得る駆動爪６４とを有している。往復操作部６１は、操作力を受け付ける操作ボタン６２と、操作ボタン６２の操作力に応じて弾性変形し得る弾性部６３とを有している。操作ボタン６２は、上端において本体ケース１０から露出することにより、外力による操作力を受け付けるものである。弾性部６３は、操作ボタン６２が押圧された際には図で破線で示す形状に弾性変形することにより、駆動爪６４を往復動作させ得るものである。駆動爪６４は、後述するギア５４の噛合面５６に噛合い得る駆動面６５と、ギア５４の離間面６７に当接して駆動爪６４自体をギア５４から離間させ得る解除面６６とを有している。
【００３２】
リフィル２は、図１、図２、図３及び図５に示すように、リフィルケース２０を主体として、当該リフィルケース２０には転写ヘッドＨと、テープＴを保持するテープ保持機構４と、転写物を転写する動作によってテープ保持機構４を駆動し得るリール駆動機構５とを取り付けている。そして本実施形態ではリフィル２において、テープ保持機構４に保持されるテープＴの面方向から当該テープＴを略９０度旋回させて転写ヘッドＨへ案内し得る旋回機構Ｓを設けることにより、横引き式の転写具Ａを構成したものとしている。
【００３３】
そしてリフィルケース２０には、転写ヘッドＨ付近の一端側において、回動係合部Ｑを構成する回動突起２１を設けているとともに、転写ヘッドＨを設けた位置とは反対側である他端側に、爪係合部Ｒを構成する爪受部２５を設けている。爪受部２５は、爪本体１５の爪受け穴２６に対応する位置に設けた爪受け穴２６を主体とし、係合爪１６との係合を確実に行ない得るものである。そして本実施形態では、図２及び図３に示すように、斯かる爪受部２５と、上述の通り本体ケース１０側の単一の爪本体１５並びに爪押圧部１８とによって、爪係合部Ｒを構成している。
【００３４】
回動突起２１は、リフィルケース２０の一端側において転写ヘッドＨを挟む位置に正対させて形成した突起であり、本発明の回動案内面である部分円弧状の回動摺接面２２と、長辺側を傾斜させて設けた重合案内面２３と、短辺側を傾斜させて設けた解除案内面２４とを有するものとしている。
【００３５】
テープ保持機構４は、転写物を転写する前のテープＴを繰出し得る繰出リール４１と転写物を転写した後のテープＴを巻取り得る巻取リール４２とを有している。
【００３６】
リール駆動機構５は、繰出リール４１及び巻取リール４２と同軸に設けた繰出プーリ５１及び巻取プーリ５２と、当該繰出プーリ５１及び巻取プーリ５２に架け渡して設けたベルト５３とを有するものとしている。斯かるリール駆動機構５は、繰出リール４１からテープＴが繰出される際の繰出リール４１の回転に伴う繰出プーリ５１が回転することによってベルト５３を移動させることにより、ベルト５３から巻取プーリ５２へ動作力を伝達して、巻取リール４２を駆動し得るものである。
【００３７】
そして本実施形態では、巻取プーリ５２の先端部に、当該巻取プーリ５２を介して巻取リール４２を駆動させるためのギア５４を形成したものとしている。当該ギア５４は、歯の形状を偏向させて設けた偏向歯５５を有しており、当該偏向歯５５の一方の面を駆動爪６４の駆動面６５に対して噛合い得る噛合面５６とし、他方の面を駆動爪６４の解除面６６に当たりうる離間面６７としている。
【００３８】
旋回機構Ｓは、図５に示すように、リフィルケースから一体に突出させて形成した棒状の第１折返し部と、第２折返し部とを有している。第１折返し部２７は、繰出リール４１から繰出されたテープＴを転写ヘッドＨまでに９０度旋回させる基端でテープＨを折返し得るものである。換言すれば、転写ヘッドＨまでテープを９０度旋回させる基端を位置決めしているものである。第２折返し部２８は、転写ヘッドＨから巻取リール４２までにテープＴを９０度旋回させる終端でテープＴを折返し得るものである。換言すれば、転写ヘッドＨからテープＴを９０度旋回させる終端を位置決めしているものである。斯かる第１折返し部２７と第２折返し部２８とによって、転写ヘッドＨからテープ保持機構４に至るまでにテープを９０度旋回させるための十分な距離をリフィル２内に確保しているものである。
【００３９】
そしてリフィルケース２０には、転写ヘッドＨ付近の一端側において、回動係合部Ｑを構成する回動突起２１を設けているとともに、転写ヘッドＨを設けた位置とは反対側である他端側に、爪係合部Ｒを構成する爪受部２５を設けている。
【００４０】
ここで本実施形態に係る転写具Ａは、回動係合部Ｑを設けることにより、支持体１とリフィル２とを平行に位置付けた状態から重ね合わせる重ね動作によって係合状態（Ｅ）とするとともに、支持体１とリフィル２とを相対的に回動させる回動動作により係合を解除し得る回動係合部Ｑを具備するものとしている。以下に回動係合部Ｑの動作について説明する。
【００４１】
回動係合部Ｑは、図２、図３、図６及び図７に示すように、上述の通り転写具本体Ａ１の一端側において転写ヘッドＨを挟むように一対設けたものであり、本体ケース１０側に設けた嵌合穴１１と、リフィルケース２０側に設けた回動突起２１とによって構成している。
【００４２】
そして重ね動作の際、図６に示すような、本体ケース１０とリフィルケース２０とを正対させた状態から係合させるに際して、上述の通り回動突起２１の重合案内面２３を傾斜面としているため、当該重合案内面２３が本体ケース１０の端面１０ａに当接すると、一対の回動突起２１が近接する方向にリフィルケース２０が若干弾性変形するか、或いは本体ケース１０が若干弾性変形することにより、円滑に本体ケース１０に重なり得るものとなっている。そしてそのまま本体ケース１０とリフィルケース２０とを近接させていくと、図２に示すような、重合案内面２３は嵌合穴１１の重合端面１４に当接することによって、回動突起２１は嵌合穴１１に収容された係合状態（Ｅ）となる。
【００４３】
他方、図３及び図７に示すように、回動動作によって爪係合部Ｒの係合を解除して係合状態（Ｅ）を解除すると、回動突起２１の回動摺接面２２が円弧面１２に沿って回動しながら摺接することとなる。すると回動突起２１の解除案内面２４が傾斜面であるため、リフィルケース２０を若干弾性変形させながら嵌合穴１１の解除端面１３に接した位置からずれが生じることとなる。そして、さらに回動を続けると、解除案内面２４と解除端面１３とは完全に離間するとともに、そのまま嵌合穴１１と回動突起２１との係り合いが完全に解除されることとなり、本体ケース１０とリフィルケース２０とを完全に分離することができる。また、回動動作の際、回動係合部Ｑを転写ヘッドＨの両側において斯かる回動方向に対して直交する方向に一対対向させて設けているため、この２つの回動係合部Ｑは回動動作を案内するのみならず、回動動作における回動軸の役割も担わせて、円滑な回動動作を実現している。また勿論、当該回動係合部Ｑは、上述したような係合状態（Ｅ）を解除する動作の逆の手順の動作を行なう事により、回動動作によって本体ケース１０とリフィルケース２０とを係合状態（Ｅ）とすることも可能である。
【００４４】
また本実施形態に係る転写具Ａは、上述の通り、支持体１側に強制駆動機構６を設けることにより、巻取リール４２を駆動してテープＴの弛みを解消し得るものとなっている。
【００４５】
斯かる強制駆動機構６が巻取リール４２を駆動する際の動作について、図８を参照して説明する。
【００４６】
まず強制駆動機構６は、同図に示す通り、操作ボタン６２を押圧しない不使用状態において、実線で示すように前記ギア５４と駆動爪６４とを離間させることにより、駆動爪６４と巻取リール４２との係り合いを解除した状態となっている。そして、操作ボタン６２を押圧する事により、駆動爪６４が破線で示す軌跡で駆動することとなる。具体的には、操作ボタン６２の押圧を解除すれば弾性部６３の弾性復帰によって操作ボタン６２及び駆動爪６４は実線で示す位置へ戻る為、操作ボタン６２の押圧を繰り返す事により破線で示す軌跡で繰り返し往復動作することとなる。そして操作ボタン６２が押圧される際の駆動爪６４の移動により、駆動爪６４の駆動面６５がギア５４の噛合面５６に噛合う為に、巻取リール４２は巻取プーリ５２を介してテープＴを巻き取る方向に駆動される。
【００４７】
一方操作ボタン６２の押圧を解除される際の駆動爪６４の移動では、駆動爪６４の解除面６６がギア５４の離間面６７に当たることにより、駆動爪６４はギア５４に対して離間しながら移動することとなる。他方、駆動爪６４の駆動面６５とギア５４の噛合面５６とが噛合っている際に、テープＴの転写動作によって巻取リール４２が駆動されてしまった場合には、同様にギア５４の離間面６７が駆動爪６４の解除面６６に当たることにより、駆動爪６４は弾かれてギア５４に対して離間した状態となるため、駆動爪６４が巻取リール４２の回転に干渉することなく正常に回転することとなる。
【００４８】
ここで、繰出リール４１と巻取リール４２との間に弛みがある場合には、テープＴを介して繰出リール４１に駆動力が伝わることはなく、巻取リール４２の駆動がベルト５３にのみ伝わることとなるが、ここで巻取リール４２とベルト５３の接触面積よりも、径が大きい繰出リール４１とベルト５３との接触面積の方が大きい為、巻取リール４２とベルト５３とがずれ易い状態となり易く、繰出リール４１へ駆動力が伝達され難い状態となっている。そのため、駆動されるのは巻取リール４２のみとなり、好適に弛みが解消される。他方、繰出リール４１巻取リール４２との間に弛みが無い場合或いは途中で弛みが無くなった場合には、巻取リール４２の駆動力はベルト５３のみならず、テープＴを介して、確実に繰出リール４１に伝達されることとなる。そのため繰出リール４１から適宜テープＴが引き出される。
【００４９】
以上のような構成とすることにより、繰出リール４１、巻取リール４２、及びリール駆動機構５をリフィル２にそれぞれ保持させて交換可能としたので、リフィル２の交換時にリール駆動機構５を繰出リール４１及び巻取リール４２とを予め関連づけているために、正確な係合を必要とする部位を有効に削減することができるので、簡便な係合並びに係合解除の操作を行なわせることができる。また、テープＴを駆動させるための機構をリフィル２のみに繰出リール４１、巻取リール４２とともに予め担わせているため、従来であれば輸送時や交換時など、リフィル２単体で取り扱う際のテープＴの弛みを有効に回避し得るものとなっている。さらにこのテープＴを駆動させるための機構をリフィル２のみに担わせていることにより、支持体１とリフィル２とすなわち支持体１とリフィル２を係合させる方向を自由に設定することができる。
【００５０】
リール駆動機構５を構成する部品点数を有効に削減するとともに、例えばギア５４などを別途支持するための格別の機構をリフィル２に設けることを有効に回避するため本実施形態では、リール駆動機構５を、繰出リール４１及び巻取リール４２に対して同軸に設けた繰出プーリ５１及び巻取プーリ５２と、当該繰出プーリ５１及び巻取プーリ５２の間に架け渡したベルト５３とによって構成している。
【００５１】
また上述の通り、支持体１とリフィル２とを係合させる方向を自由に設定することができるので、単純な構成で且つ正確な動作を行なわせるために本実施形態では、回動動作により係合又は係合解除を行なわせるべく着脱可能なものとしている。具体的には、支持体１と、リフィル２とを平行に位置付けた状態から重ね合わせる重ね動作によって支持体１とリフィル２との係合を行なうとともに、支持体１とリフィル２とを相対的に回動させる回動動作により前記係合を解除し得る回動係合部Ｑを適用している。斯かる構成により、支持体１とリフィル２とを合体すなわち係り合わせる際にはもっとも簡単な方法で且つ従来の転写具にも多く採用されている方法を採用して使用者に違和感を覚えさせることなく係合させ得るとともに、回動動作により正確且つ簡便に支持体１とリフィル２との係り合いを解除することにより、リフィル２のを容易に行い得るものとなっている。
【００５２】
転写ヘッドＨを、リフィル２に保持させるとともに、転写ヘッドを保護するためのヘッドカバー３を、支持体１である支持体１に退避動作可能に設けることにより、リフィル２の部品点数を少なくするとともにコンパクトにし得たものとなっている。
【００５３】
特に本実施形態では、転写ヘッドＨとは反対側にヘッドカバー３を設ける場合、リフィル２交換時に転写ヘッドとヘッドカバーとが相対移動する際に転写ヘッドを通過させ得る通過領域たる通過部３３を設けることにより、近接して設けた転写ヘッドＨとヘッドカバー３との干渉を回避し得たものとなっている。
【００５４】
他方、支持体１とリフィル２とを係わり合わせた係合状態（Ｅ）で、テープＴの位置を好適に調整し得るものとするため、本実施形態では繰出リール４１又は巻取リール４２を手動操作により強制回動させるための強制駆動機構６を、支持体１に備えている。具体的には、往復操作部６１により、容易且つ確実に巻取リール４２を駆動させ得るものとしている。そして斯かる強制駆動機構６により巻取リール４２を巻取方向へ強制回動することにより、テープＴの弛みを有効に解消し得るものとなっている。
【００５５】
また、駆動爪６４を採用することにより、単純な構成且つ操作ボタン６２の単純な操作によって確実に巻取リールを駆動し得るものとなっている。なお本実施形態では、駆動爪６４はギア５４並びに巻取プーリ５２を介して、巻取リールを駆動するものとしている。
【００５６】
特に、強制駆動機構６を、不使用状態において巻取リール４２側と駆動爪６４とを離間させて係り合いを解除しておくことにより、リフィル２の交換時に巻取リール４２側と駆動爪６４とが干渉することを有効に回避して簡便な支持体１とリフィル２との好適な着脱動作を担保し得るものとしている。
【００５７】
また、リフィル２等の部品の交換時にテープＴの弛みが起こりやすい態様である修正剤を転写する態様の転写具Ａに本発明を採用することで、より好適に扱い得る転写具Ａの提供を実現している。さらには、部品の交換時にテープＴの弛みが起こると、一般に横引き式の転写具では転写具の内部でテープを旋回させない縦引き式に比べてテープＴの皺や巻取不良などの要因となり易い傾向にあるが、旋回機構Ｓを具備する横引き式の転写具Ａに対して、リフィル２の交換時にテープＴの弛みが起こり難い本発明を適用することで、より好適に扱い得る転写具Ａの提供を実現している。
【００５８】
以上、本発明の実施形態について説明したが、各部の具体的な構成は、上述した実施形態のみに限定されるものではなく、本発明の趣旨を逸脱しない範囲で種々変形が可能である。
【００５９】
例えば、上記実施形態では、駆動爪６４はギア５４並びに巻取プーリ５２を介して、間接的に巻取リール４２を駆動するものとしているが、駆動爪６４が直接巻取リール４２に係り合い、駆動するものとしてもよい。
【００６０】
その他、各部の具体的構成についても上記実施形態に限られるものではなく、本発明の趣旨を逸脱しない範囲で種々変形が可能である。
【図面の簡単な説明】
【００６１】
【図１】本発明の第１実施形態に斯かる転写具を示す正面図。
【図２】同平面図。
【図３】図２に対応した動作説明図。
【図４】同実施形態に係る支持体を示す構成説明図。
【図５】同実施形態に係るリフィルを示す構成説明図。
【図６】同実施形態に係る要部拡大図。
【図７】同実施形態に係る作用説明図。
【図８】同実施形態に係る動作説明図
【符号の説明】
【００６２】
１…本体側の半ケース（支持体）
２…リフィル側の半ケース（リフィル）
３…ヘッドカバー
３３…通過領域
４１…繰出リール
４２…巻取リール
５…リール駆動機構
５１…繰出プーリ
５２…巻取プーリ
５３…ベルト
６…強制駆動機構
６１…往復操作部
６４…駆動爪
Ａ…転写具
Ｑ…回動係合部
Ｓ…旋回機構
【図１】
2008265042.tif 000003
【図２】
2008265042.tif 000004
【図３】
2008265042.tif 000005
【図４】
2008265042.tif 000006
【図５】
2008265042.tif 000007
【図６】
2008265042.tif 000008
【図７】
2008265042.tif 000009
【図８】
2008265042.tif 000010
【手続補正書】
【提出日】平成19年4月18日(2007.4.18)
【手続補正１】
【補正対象書類名】明細書
【補正対象項目名】０００３
【補正方法】変更
【補正の内容】
【０００３】
しかしながら、交換用として、リフィル側の半ケース部のみを輸送する場合等は、輸送の際に繰出リールや巻取リールが振動などによって、回動してしまうといった場合が起こる事がある。その場合、通常リフィル側の半ケース部では繰出リールから巻取リールにかけてテープを緊張させた状態としていても、テープが弛む方向に回転してしまうこととなる。斯かる不具合を回避する為に、例えば輸送時などの使用前の状態では、繰出リール及び巻取リールの回転を防止する為のストッパを取り付けている場合があるが、使用する際には本体側の半ケース部と係り併せる為にストッパを外さなければならず、その間にもテープが弛んでしまうといった事が起こり得る。